(57)【要約】【課題】  ダイレクトプリント利用形態で撮影画像を管理する場合において、ディジタルカメラ内の記録メディア上にある画像が、まだ印刷していない画像なのか、すでに印刷済みの画像なのかを判断することを可能にする。【解決手段】  記録メディア上の画像データ内に、印刷に影響を与えないように印刷を行ったか否かの情報を付加するための手段を設ける。又、印刷実行を行い排紙が完了したら印字装置からの通知をうけ、上記手段を用いて印刷データに対して印刷した旨記録すると。更に、印刷データの内容を確認することで、これまで印刷が完了した時の情報をあらかじめ取得し、表示する。【選択図】  図１
2006167973.tif 000002
【特許請求の範囲】
【請求項１】
印刷装置とモバイル機器を直接接続し、モバイル機器からの指令によって前記印刷装置により印刷することを特徴とする印刷システムにおいて、
印刷装置は、
モバイル機器から送信されてきた画像データを印刷する印刷手段と、
印刷処理が完了したことをモバイル機器へ通知する通知手段とを備え、
モバイル機器は、
画像記憶手段内の任意の画像データを印刷装置に送信する送信手段と、
前記通知手段から受け取った印刷完了通知を受けモバイル機器内の印刷データの更新を行う更新手段と、
を備えることを特徴とする印刷システム。
【請求項２】
前記モバイル機器は、
前記更新手段によって印刷データに対して日付情報を付加することを特徴とする請求項１の印刷システム。
【請求項３】
前記モバイル機器は、
前記更新手段によって印刷データに対して、印刷を行った機器の機器情報をさらに付加することを特徴とする請求項２の印刷システム。
【発明の詳細な説明】
【技術分野】
【０００１】
本発明は印刷装置とモバイル機器とを直接接続して、モバイル機器内にある印刷データを印刷装置で直接印刷可能な印刷システムに関するものである。
【背景技術】
【０００２】
従来、例えばディジタルカメラとインクジェットプリンタを直接接続して印字動作を行わせる形態（ダイレクトプリント）などに見られる、モバイル機器内に保存されている印刷データの管理を行うには、ＰＣを用いるのが一般的であった。これはモバイル機器の操作性が悪いこと、機器に大規模な管理用のソフトウエアを組み込むのが困難であることなどが原因である。
【０００３】
そのため印字データの管理を行う場合にはモバイル機器を所定のケーブルを介してＰＣへ接続し、ＰＣへデータを転送して管理するのが一般的である。
【０００４】
又、別の従来例としては、特許文献１をあげることが出来る。
【特許文献１】特開２００４−６２２７４号公報
【発明の開示】
【発明が解決しようとする課題】
【０００５】
例えばＰＣを用いずにディジタルカメラとプリンタのみのダイレクトプリント利用形態で撮影画像を管理する場合において、ディジタルカメラ内の記録メディア上にある画像が、まだ印刷していない画像なのかすでに印刷済みの画像なのかを判断することが不可能であった。
【０００６】
このため印刷済みの画像を再度印刷してしまい無駄に消耗品を消費してしまったり、記録メディアの空き容量が少なくなったときに未印刷の画像をうっかり削除してしまったりしていた。
【０００７】
またこれを予防するためにＰＣとそのアプリケーションを利用するのは、費用の面でも操作を会得する手間の面でも大変な手間とコストがかかってしまうという問題がある。
【課題を解決するための手段】
【０００８】
本発明は上記問題点を鑑みてなされたものであり、記録メディア上の画像データ内に、印刷に影響を与えないように印刷を行ったかの情報を付加するための手段を設ける。
【０００９】
また印刷実行を行い排紙が完了したら印字装置からの通知をうけ、上記手段を用いて印刷データに対して印刷した旨記録する。
【００１０】
この構成によれば、モバイル機器と印刷装置をダイレクト接続して印字させようとするときに、印刷データの内容を確認することで、これまで印刷が完了した時の情報をあらかじめ取得し、表示させることができるようになる。
【００１１】
請求項２に記載のように、印字データに付加する情報として日付情報を用いることで、印刷完了したときの日付が格納されているのだから、印刷を行ったのか、また行った場合にはいつ印字したのかが容易に確認できるようになる。
【００１２】
また請求項３記載のように、印字データに付加する情報として日付情報とさらに印刷を行った機器の情報を用いることで、印刷完了したときの日付および印刷機器の情報が格納されているのだから、さらにどの印刷機器で出力したかが容易に確認できるようになる。
【００１３】
（作用）
ＰＣなどで管理用アプリなどを使用することなく、ディジカメのみで印刷実施済み/未実施を容易に判断できるようになり、重複印刷や未印刷を防止できる。
【００１４】
またディジタルカメラの印刷メニューで、印刷が実行されていない画像を優先的に表示したり、プレビュー画面で印刷実施/未実施を示すアイコンを表示したりなどを行う。また、未印字の画像データのみをインデックスプリントする
ことも考えられる。
【００１５】
さらに排紙完了の通知を受けて画像データを更新することで、途中でインク切れや紙詰まりなどによって正しく印刷が行えなかった場合には印刷データに記録せずに再度印刷動作を行うことを促すことが可能になる。
【００１６】
応用例として画像データ、印刷を行ったプリンタのシリアルナンバーや日付などを順次付加することで細かく印刷履歴を管理することができる。
【発明の効果】
【００１７】
これまで説明した処理によって、モバイル機器内の印刷データを印刷し、印刷装置により印刷が正常に完了した場合には印刷データの更新を行うことができる。
【００１８】
これによりモバイル機器内の印刷データの内容を確認することで、印刷処理が行われたかの判断が可能になる。
【００１９】
上述のモバイル機器がディジタルカメラ以外のＰＤＡやポケットＰＣ、印字装置がインクジェット方式、電子写真方式のプリンタ、またプリント機能を持った複写機においても同様であることは言うまでも無い。
【発明を実施するための最良の形態】
【００２０】
以下、本実施例の第１の実施形態について図を参照しながら説明する。
【実施例１】
【００２１】
図１はモバイル機器にディジタルカメラを用いた場合の接続形態を示した図である。図１において、１はディジタルカメラ本体、２は印刷装置であるプリンタ本体である。
【００２２】
次に動作について説明する。
【００２３】
ディジタルカメラ１に備えてある図示しない液晶ディスプレーに画像を表示しながらディジタルカメラ１の操作用ボタンを用いて印字したい画像を選択し、印字動作を行わせる。
【００２４】
以降、モバイル機器の動作について説明する。
【００２５】
以降の処理の流れをフローチャートにしたものを図２に示す。
【００２６】
Ｓ１０１において選択された画像データを印刷装置に対して送信を行う。これにより印字装置において画像データの印字処理が開始される。送信が完了したらＳ１０２において印刷装置からの印刷完了通知を待つためのタスクに対して起動をかける。以上で印刷動作を行う場合の処理は終了である。
【００２７】
前述のＳ１０２において印刷完了の通知を待つためのタスクが起動されるが、このタスクの処理をフローチャートにしたものを図３に示す。
【００２８】
Ｓ２０１からＳ２０３において、印刷装置からくる印刷完了通知の待ち受け処理を行う。待ち受け処理中に印刷完了通知を受けた場合には、Ｓ２０４において印刷を行った印刷データの更新処理を行い、Ｓ２０５において自タスクの動作を停止する。
【００２９】
Ｓ２０２においては、待ち受け処理を一定期間行ったが通知が無かった場合には異常と判断し、Ｓ２０４を実行せずにＳ２０５において自タスクの動作を停止する。
【００３０】
図５は印字データの例を示したものである。
【００３１】
画像データ領域５０１には実際に画像を形成するために用いられる画像データが格納されてあり、フラグ領域５０２には印刷装置からの通知を受けて更新される情報が格納されている。
【００３２】
このフラグ領域５０２は例として画像データに連続した次の領域にあるが、印字動作や印字結果に影響を与えないのであればデータ全体のどの部分にあってもよい。また例ではあらかじめフラグ領域を用意してあるが、これは特に必要では無く、前述の更新手段によって新たに生成させ、情報を格納するようにしてもよい。
【００３３】
以降、印字装置の動作について説明する。
【００３４】
図４は印字装置の印字処理をフローチャートにしたものである。
【００３５】
Ｓ３０１からＳ３０２において、モバイル機器から送られてくる印刷データを待ち受ける。
【００３６】
印刷データの到着が確認できた場合にはＳ３０３において、印刷動作へと移行する。Ｓ３０４において印刷動作の結果の確認を行うが、正常終了した場合にはＳ３０５においてモバイル機器に対して印字動作の終了通知を行う。
【００３７】
もし用紙やインク、トナーなどが無かったり用紙詰まりなどで異常終了したりした場合にはＳ３０５を実行せず印字動作を終了する。
【図面の簡単な説明】
【００３８】
【図１】本発明の接続形態を表す図である。
【図２】モバイル機器の印字命令処理をフローチャートにしたものである。
【図３】モバイル機器のプリンタからの印字完了待ち受け処理をフローチャートにしたものである。
【図４】プリンタの印字処理をフローチャートにしたものである。
【図５】印字データの具体的な構造を示した図である。
【図１】
2006167973.tif 000003
【図２】
2006167973.tif 000004
【図３】
2006167973.tif 000005
【図４】
2006167973.tif 000006
【図５】
2006167973.tif 000007